(57)【要約】      （修正有）【課題】ディジタル放送音声番組で、伝送する情報の量を大幅に増やすことなく文字や静止画などの音声番組の内容を補足する情報を多重して伝送することで、番組のサービス性を高める。【解決手段】複数のデータストリームに番組番号を付加すると共に多重化してビットストリームを得る多重化手段を有する送信手段と、一つのビットストリームから所望のデータストリームを分離する多重分離手段と、データストリームを音声，映像及び情報信号に各々復元するデコード手段と、多重分離手段とデコード手段とを制御する制御ＣＰＵとを含む受信手段で、音声情報に文字情報や画像情報その他の情報を間欠的かつ非同期に多重して伝送する。【選択図】図２
2006141015.tif 000002
【特許請求の範囲】
【請求項１】
音声放送番組及び該音声放送番組の内容を補足する情報と、該音声放送番組と該補足する情報に共通のパケットヘッダが付加され、多重された放送信号を受信する受信手段と、
該受信手段により受信された該放送信号を復調する復調手段と、
該復調手段により復調された該放送信号から所望の音声放送番組及び該所望の音声放送
番組の内容を補足する情報とを該共通のパケットヘッダを用いて分離する分離手段と、
該分離手段により分離された該所望の音声放送番組の内容を補足する情報に対応した文字情報又は画像情報を記憶する記憶手段と、
該内容を補足する情報を間欠的に受信した場合に、該間欠的に受信された該所望の音声番組の内容を補足する情報に対応する文字情報又は画像情報を該記憶手段から読み出して所定の期間出力するように制御する制御手段を備えることを特徴とする受信装置。
【請求項２】
請求項１記載の受信装置において、
前記文字情報又は画像情報を表示する表示手段を備え、
前記制御手段は、前記記憶手段から読み出された前記文字情報又は画像情報を該表示手段に任意のタイミングで出力するように制御することを特徴とする受信装置。
【請求項３】
請求項１又は２に記載の受信装置において、
前記画像情報は、静止画であることを特徴とする受信装置。
【請求項４】
請求項１から３いずれかに記載の受信装置において、
ソフトウェア及びまたは番組に関連した番組関連データの処理手段を有し、
前記制御手段は、前記処理手段に対して前記ソフトウェア及びまたは前記番組関連データの処理を指示して、その処理結果を出力するように制御することを特徴とする受信装置。
【発明の詳細な説明】
【技術分野】
【０００１】
本発明は、ディジタル放送の送信及び受信システムに係り、特に音声番組の視
聴を目的とした放送の送信及び受信システムに関する。
【背景技術】
【０００２】
従来の画像，音声データを多重して伝送する方法としては、例えば特開平６−
２７６５０８号公報に記載されているように、連続した画像データと音声データ
を常に多重して伝送する方法が知られている。
【０００３】
【特許文献１】特開平６−２７６５０８号公報
【発明の開示】
【発明が解決しようとする課題】
【０００４】
ディジタル放送の特徴は、ディジタル化した映像，音声、及び文字情報等の多
様な付加情報を多重化して同時に送信することができることにある。さらに、デ
ィジタル方式特有の誤り訂正技術を適用することで高品質の画像や音声を伝送で
きるなどの特徴がある。
このようなディジタル放送について述べられた従来技術では、テレビジョン放
送のように映像と音声を視聴する場合が示されている。これに対し、音声の視聴
が主目的である音声放送のサービス提供方法については述べられていなかった。
本発明の目的は、ディジタル放送における音声放送で、サービス性の向上を図
ったディジタル放送の送信及び受信システムを提供することにある。
【課題を解決するための手段】
【０００５】
本発明では、上記課題を解決するために、例えば、 音声放送番組及び該音声放送番組の内容を補足する情報と、該音声放送番組と該補足する情報に共通のパケットヘッダが付加され、多重された放送信号を受信する受信手段と、  該受信手段により受信された該放送信号を復調する復調手段と、該復調手段により復調された該放送信号から所望の音声放送番組及び該所望の音声放送番組の内容を補足する情報とを該共通のパケットヘッダを用いて分離する分離手段と、該分離手段により分離された該所望の音声放送番組の内容を補足する情報に対応した文字情報又は画像情報を記憶する記憶手段と、該内容を補足する情報を間欠的に受信した場合に、該間欠的に受信された該所望の音声番組の内容を補足する情報に対応する文字情報又は画像情報を該記憶手段から読み出して所定の期間出力するように制御する制御手段を備えるように構成すればよい。
これにより、音声番組を視聴する際に静止画や文字その他の補足情報を同時に
表示できるので多様なサービスを視聴者に提供することができる。
【発明の効果】
【０００６】
本発明によれば、音声の視聴を目的とした音声番組をディジタル放送で伝送し
再生する際に、効率的に文字情報や画像情報その他の情報を多重して伝送することで音声番組のサービス性を向上することができる。
【発明を実施するための最良の形態】
【０００７】
本発明の実施例を図面を用いて説明する。
【０００８】
図１は送信側のブロック構成を示す図面、図２は信号を受信する受信手段の構
成例を示す図面、図３は伝送するデータの多重の形式の例を示す図面である。尚
、本実施例では人工衛星を経由して放送する衛星放送システムについて説明する
が、本発明の利用を衛星放送に限定するものではなく、例えばケーブルを用いた
放送や送信側のアンテナから各受信手段に接続されたアンテナに直接送信する地
上放送等に適用してもよい。
図１で、１０１，１０２，１０３は例えば音声，画像及び文字のデータストリ
ームをそれぞれ供給するデータ供給手段、４００は複数種類の入力ディジタル信
号を多重化する多重化手段、５００は伝送に伴う誤りを受信側で訂正するための
誤り訂正符号付加手段、６００は変調手段であり、変調手段６００の出力は送信
アンテナ（図示せず）によって送信される。
送信アンテナから送信された電波は、人工衛星（図示せず）を介して図２の受
信手段に接続されたアンテナ（図示せず）で受信される。図２で、１はアンテナ
入力端子、２は復調手段、３は誤り訂正手段、５は多重された信号を分離する多
重分離手段、６は制御ＣＰＵ、７は制御ＣＰＵ用のプログラムを記憶したプログ
ラム格納ＲＯＭ、８は制御ＣＰＵ６のデータ処理用ＲＡＭ、９は文字フォントを
記憶した漢字ＲＯＭ、１０は蛍光表示管あるいは液晶パネル等の表示デバイス、
１１は圧縮されている映像情報を伸長するビデオデコーダ、１２は圧縮されてい
る音声情報を伸長するオーディオデコーダ、１３はビデオデコーダ１１の出力信
号に文字情報を付加するＯＳＤ（On Screen Display）回路、１４はディジタル
信号をアナログ信号に変換すると共に同期情報などを付加するビデオエンコーダ
、１５はディジタルの音声情報をアナログ信号に変換するＤ／Ａコンバータ、１
６は映像表示手段（図示せず）への出力端子、１７は音声出力手段（図示せず）
への出力端子、２０はＩＣカード（図示せず）との接続端子、２１はＩＣカード
インターフェース（Ｉ／Ｆ）である。
図１で、データ供給手段１０１，１０２，１０３から供給されるデータストリ
ームは、図３の例に示すように各データストリーム７０１，７０２，７０３に一
つの番組の情報であることを示す番組番号を付加して得たデータストリーム８０
１，８０２，８０３を多重化手段４００で多重することで一つのビットストリー
ム９０１に変換する。次に、誤り訂正符号付加手段５００によって伝送に伴う誤
りを受信側で訂正するための誤り訂正符号を付加し、変調手段６００によって変
調を行って送出する。
次に図２に示す受信手段の動作を説明する。アンテナ入力端子１から入力され
た信号は復調手段２によって復調される。復調手段２で復調された信号は、誤り
訂正手段３によって信号に付加されている誤り訂正符号に基づいて誤り訂正が行
われる。次に、多重分離手段５によって視聴する番組の信号が分離されて出力さ
れる。また、多重分離手段５はＣＨ情報，視聴情報，番組情報，時間情報などを
信号から抽出して制御ＣＰＵ６に印加する。図２で、制御ＣＰＵ６はプログラム
格納ＲＯＭ７からプログラムを読み出し、データをＲＡＭ８を用いて処理するこ
とでプログラムを実行する。漢字ＲＯＭ９には文字を画像として表示するために
必要なデータが記憶され、ビットストリーム９０１から分離し、あるいは抽出し
て得た文字コードに対応する文字データが制御ＣＰＵ６によって読み出される。
表示デバイス１０は制御ＣＰＵ６からの信号によって、現在視聴している番組の
ＣＨ番号などの表示を行う。
多重分離手段５によって分離された信号のうち、画像情報はビデオデコーダ１
１に、音声情報はオーディオデコーダ１２にそれぞれ印加される。ビデオデコー
ダ１１とオーディオデコーダ１２はそれぞれ圧縮されたデータを伸長して圧縮前
のディジタル信号を再生する。ビデオデコーダ１１の出力は文字情報を付加する
ＯＳＤ手段１０を経由して、ディジタル信号をアナログ映像信号に変換するビデ
オエンコーダ１４に印加される。一方、オーディオデコーダ１２の出力ディジタ
ル信号はＤ／Ａ変換器１５に印加され、アナログ音声信号に変換される。これに
よって送信側から送られたアナログ映像信号とアナログ音声信号が再生され、表
示手段１６と音声出力手段１７に出力される。
音声の視聴を目的とした番組を送信及び受信する場合について更に詳しく説明
する。音声は映像に比べて情報量が少ないので、特に動画を主体としたテレビジ
ョン放送における番組を送信する場合に比べて、一定の帯域の範囲のなかでより
多数の番組を伝送することができる。反面、現在視聴している音楽の曲名や作曲
者名などを知りたいのにすぐにはわからないなどの事態が生じることがある。こ
のような場合、例えば、図４のビットストリーム９０２に示すように同じ番組番
号で音声以外の文字情報や静止画を間欠的に多重して送信し、受信側では例えば
図５や図６の表示例に示すような文字情報や静止画を所定の期間表示することで
、伝送する情報量の増加を抑えながら番組のサービス性を高めることができる。
上記で音声情報と文字情報または画像情報はテレビジョン放送の映像と音声のよ
うに正確に同期している必要は無いため、図５や図６に示すような付加情報は任
意のタイミングで伝送することができる。すなわち、例えば送信側の操作者（ア
ナウンサーや音楽番組のディスクジョッキーなど）が任意のタイミングで静止画
送出の操作を行って伝送する。
図４では音声とは異なるデータストリームを音声情報のデータストリームに多
重して伝送し再生する例を示したが、図７に例を示す他の方法で伝送してもよい
。図７はＭＰＥＧ２（Moving Picture Experts Groupe 2）−Systemsで規定され
たトランスポートストリームパケット（ＴＳＰ）の構成の概略を示す図である。
図７で、９０３はＴＳＰのデータ内容その他のＭＰＥＧ２−Systemsで規定され
た情報が記述されたヘッダ、９０４は拡張ヘッダであって送信者が決めた情報を
記述できる部分、９０５は音声または映像などのデータから構成されるペイロー
ドである。図７に示す例では、音声番組を伝送する場合、音声データはペイロー
ド９０５で伝送し、付加的な情報である文字情報などは拡張ヘッダ９０４で伝送
するものである。上記で示した方法により、音声情報と異なるデータストリーム
を多重しなくても音声番組の補足情報を送信することができる。
このように、本実施例によればディジタル放送における音声番組に文字や静止
画による補足情報を間欠的かつ非同期で多重して伝送することで音声番組のサー
ビス性を向上することができ、多重する情報量は少なくできるので定められた帯
域内で多数の番組を伝送することができる。
図８に本発明の他の実施例を示す。図８は、多重する補足情報としていわゆる
パーソナルコンピュータ等に用いるソフトウェアを伝送する例を示す。図８で、
１８はソフトウェア処理用ＣＰＵ、１９はソフトウェア処理用ＣＰＵ１８の処理
結果を表示装置１６に表示できる形式に変換する表示処理手段である。
ディジタル放送では、伝送する内容は全てディジタル信号であるので、音声，
映像等と同様に、いわゆるパーソナルコンピュータ等のソフトウェアを伝送する
ことができる。ここでは、パーソナルコンピュータ等のソフトウェアを伝送する
チャンネルをデータチャンネルと呼ぶことにする。図８で多重分離手段５で分離
されたデータチャンネルの内容はソフトウェア処理用ＣＰＵ１８に印加される。
ソフトウェア処理用ＣＰＵ１８は入力されたソフトウェアにしたがって所定の処
理を行い、処理結果を表示処理手段１９に印加する。表示処理手段１９はソフト
ウェア処理用ＣＰＵ１８の処理結果を表示手段１６に表示できる形式にして出力
する。データチャンネルで伝送する内容は、例えばいわゆるコンピュータグラフ
ィックスによる静止画像または動画像などが考えられる。尚、動画像であっても
、伝送されたソフトウェアをソフトウェア処理用ＣＰＵ１８を用いて処理して得
たものなので、例えばテレビカメラで撮影した通常の動画を伝送する場合のよう
に常に信号を伝送する必要はない。すなわち、一旦伝送した後は、伝送される信
号がなくてもソフトウェアを処理することでコンピュータグラフィックス等によ
る動画像を表示できる。
【０００９】
本実施例によれば、伝送する情報量をあまり増やさずに音声番組の内容を補足
するコンピュータグラフィック等による静止画や動画像等を同時に表示すること
ができ、音声番組のサービス性を向上することができる。
【図面の簡単な説明】
【００１０】
【図１】本発明の送信手段の実施例を示すブロック図。
【図２】本発明の受信手段の実施例を示すブロック図。
【図３】本発明の送信手段の実施例の多重化手段４への入力データストリームと多重化手段４の出力ビットストリームの例を示す説明図。
【図４】本発明の送信手段の実施例における多重化手段４の出力ビットストリームの例を示す説明図。
【図５】本発明の受信手段の実施例における表示画面例を示す説明図。
【図６】本発明の受信手段の実施例における表示画面例を示す説明図。
【図７】本発明の送信手段の実施例におけるビットストリームの例を示す説明図。
【図８】本発明の受信手段の実施例を示すブロック図。
【符号の説明】
【００１１】
１０１，１０２，１０３…情報供給手段、４００…多重化手段、５００…誤り
訂正符号付加手段、６００…変調手段。
【図１】
2006141015.tif 000003
【図２】
2006141015.tif 000004
【図３】
2006141015.tif 000005
【図４】
2006141015.tif 000006
【図５】
2006141015.tif 000007
【図６】
2006141015.tif 000008
【図７】
2006141015.tif 000009
【図８】
2006141015.tif 000010